(57)【要約】【課題】シリーズ型のダイオードスイッチにて開閉される送信端子と受信端子とが混在している場合においても、受信待ち受け時における消費電力を低減することができ、また、送信信号に対するダイオードスイッチの挿入損失増加も生じにくいアンテナスイッチを提供する。【解決手段】アンテナスイッチ２は、シリーズ型のスイッチダイオードＤ３，Ｄ４によりアンテナ接続切り替えがなされる受信経路ＲＬ１と送信経路ＴＣＮとが混在してなり、それらのスイッチダイオードＤ３，Ｄ４に順方向バイアス電圧を印加するバイアス経路Ｕ３、Ｕ４には、受信側の方が送信側よりも電気抵抗値が大きくなるように、バイアス抵抗Ｒ２，Ｒ３がそれぞれ設けられる。また、受信スイッチダイオードＤ３として、順電流レベルが低下したときの順抵４の増加率が、送信スイッチダイオードＤ５より小さいものを用いる。【選択図】  図３
2004357048.tif 000002
【特許請求の範囲】
【請求項１】
アンテナ側端子からの受信信号を無線電話通信装置の受信回路側へ出力する受信端子と、前記無線電話通信装置の送信回路からの送信信号が入力される送信端子との、前記アンテナ側端子に対する接続を切り換えるスイッチ回路とを備え、
前記スイッチ回路は、前記受信端子につながる受信経路上に設けられたシリーズ型の受信スイッチダイオードと、該受信スイッチダイオードにバイアス電圧を印加する受信バイアス経路と、前記送信端子につながる送信経路上に設けられたシリーズ型の送信スイッチダイオードと、該送信スイッチダイオードにバイアス電圧を印加する送信バイアス経路とを備え、前記受信バイアス経路上に設けられる受信バイアス抵抗の電気抵抗値が、前記送信バイアス経路上に設けられる送信バイアス抵抗の電気抵抗値よりも大きく設定されるとともに、
スイッチ駆動用に一定に設定された順方向バイアス電圧の印加により、前記受信スイッチダイオードをオン時に流れる順電流の電流値をＩｒ、前記送信スイッチダイオードをオン時に流れる順電流の電流値をＩｔとして（ただし、Ｉｒ＜Ｉｔ）、電流値Ｉｒにおける受信スイッチダイオードの順抵抗の電気抵抗値をＲ１（Ｉｒ）、電流値Ｉｔにおける受信スイッチダイオードの順抵抗の電気抵抗値をＲ１（Ｉｔ）、電流値Ｉｒにおける送信スイッチダイオードの順抵抗の電気抵抗値をＲ２（Ｉｒ）、電流値Ｉｔにおける送信スイッチダイオードの順抵抗の電気抵抗値をＲ２（Ｉｔ）として、
Ｒ１（Ｉｒ）／Ｒ１（Ｉｔ）＜Ｒ２（Ｉｒ）／Ｒ２（Ｉｔ）
の関係を満たす電流−抵抗特性を有したＰＩＮダイオードが、前記受信スイッチダイオード及び前記送信スイッチダイオードとして用いられてなることを特徴とするアンテナスイッチ。
【請求項２】
前記受信バイアス抵抗が、前記受信経路から分岐する、前記受信バイアス経路の一部をなす受信スイッチ端子経路上に設けられ、
前記送信バイアス抵抗が、前記送信経路から分岐する、前記送信バイアス経路の一部をなす送信スイッチ端子経路上に設けられてなる請求項１記載のアンテナスイッチ。
【請求項３】
前記受信スイッチ端子経路が前記受信スイッチダイオードのアノード側にて前記受信経路から分岐して設けられ、また、前記送信スイッチ端子経路が前記受信スイッチダイオードのアノード側にて前記受信経路から分岐して設けられてなる請求項２記載のアンテナスイッチ。
【請求項４】
前記受信スイッチダイオード及び前記送信スイッチダイオードのカソード側を接続する形で、前記受信経路及び前記送信経路から接地側に分岐する補助バイアス経路が設けられ、該補助バイアス経路上に補助バイアス抵抗が挿入されるとともに、前記補助バイアス抵抗の電気抵抗値が前記受信バイアス抵抗よりも小さく設定される請求項３記載のアンテナスッチ。
【請求項５】
周波数帯の互いに異なる第一受信信号及び第二受信信号に個別に対応した第一受信経路及び第二受信経路と、それら第一受信信号と第二受信信号とに対応する、周波数帯の互いに異なる第一送信信号と第二送信信号との間で共用される共用送信経路とを備え、
それら第一受信経路及び第二受信経路と共用送信経路とのアンテナ側端部が互いに結合され、他方の端部に第一受信端子、第二受信端子及び共用送信端子がそれぞれ形成され、
前記第一受信経路上に前記受信スイッチダイオードが設けられ、
前記共用送信経路上に前記送信スイッチダイオードが設けられ、
前記受信バイアス抵抗が、前記第一受信経路から分岐する、前記受信バイアス経路の一部をなす受信スイッチ端子経路上に設けられ、
前記送信バイアス抵抗が、前記共用送信経路から分岐する、前記送信バイアス経路の一部をなす送信スイッチ端子経路上に設けられてり、
前記第二受信経路と接地とをつなぐ補助バイアス経路上に、前記受信スイッチ端子経路又は前記送信スイッチ端子経路からのバイアス電圧の印加により、前記受信スイッチダイオード又は前記送信スイッチダイオードと連動してオン／オフするシャント型の補助スイッチダイオードが設けられ、該補助スイッチダイオードに対し接地との間に直列挿入される形で前記補助バイアス抵抗が設けられている請求項３又は請求項４記載のアンテナスイッチ。
【請求項６】
前記送信スイッチダイオードは、オフ時の静電容量が前記受信スイッチダイオードよりも小さいものが使用される請求項５記載のアンテナスイッチ。
【請求項７】
前記受信スイッチダイオードと並列に共振用コイルが挿入されている請求項６記載のンテナスイッチ。
【請求項８】
請求項１ないし請求項７のいずれか１項に記載のアンテナスイッチと、
該アンテナスイッチの前記アンテナ側端子に接続されるアンテナと、
前記受信端子に接続される受信回路と、
前記送信端子に接続される送信回路とを備えたことを特徴する無線電話通信装置。
【請求項９】
内蔵バッテリーから受電するとともに、前記受信回路、前記送信回路及び前記スイッチ回路に定電圧を供給する安定化電源回路を有する携帯電話機として構成された請求項８記載の無線電話通信装置。
【発明の詳細な説明】
【０００１】
【発明の属する技術分野】
本発明は、無線電話通信装置に使用するアンテナスイッチとそれを用いた無線電話通信装置に関する。なお、本発明の適用対象となる無線電話通信装置は、無線電話回線網を利用して双方向通信を行なう装置全般を意味し、携帯電話機やＰＨＳ（Ｐｅｒｓｏｎａｌ  Ｈａｎｄｙ  ｐｈｏｎｅ  Ｓｙｓｔｅｍ）などの一般的な意味での無線電話器はもちろん、端末機能を組み込んだ電話機や逆に電話回線接続機能を有した可搬型コンピュータなどの携帯型端末装置、無線電話回線接続用モデム、及び該モデムを組み込んだ可搬型コンピュータなども概念として包含する。
【０００２】
【従来の技術】
【特許文献１】
特開２０００−１６５２７４号公報
【０００３】
上記の無線電話通信装置、例えばデジタル携帯電話機において、アンテナと送信回路との接続、及びアンテナと受信回路との接続を切り替えるために、高周波スイッチが用いられている。特に近年ではデジタル携帯電話機の普及台数が急激に増加しており、通信方式も次々と新しい種類のものが設定され、採用されるに至っている。また、加入回線数の増加に伴い、使用する電波の周波数も当初の数１００ＭＨｚ帯から、ＧＨｚ帯へと拡張しており、通信方式に応じて種々の通信波数帯（バンド）が割り当てられている。
【０００４】
デジタル携帯電話機の通信方式は、通信会社、あるいは国や地域によって異なるものが採用される。当然、通信方式の異なる地域間を旅行等で頻繁に往復する利用者にとっては、各方式に対応した電話機を何台も持ち歩くのは不便であるし、我が国をはじめ、同一の地域内でも方式の異なる通信方式が並存していることもあるので、同じ利用者が、個々の通信方式の利点を生かすため使い分けを行ないたいという願望も出てくる。そこで、このようなニーズに応えるため、１台の電話機で複数の異なるバンドの送受信系を取り扱うことができるマルチバンド電話機が開発され、普及しつつある。このようなマルチバンド電話機においては、受信信号を高域側信号と低域側信号とに分離する分波回路（ダイプレクサ）が設けられ、分波後の高域側信号と低域側信号とは、それぞれ独立したスイッチ回路により、時分割方式で送受信が切り替えられる。
【０００５】
従来、多くの携帯電話機のアンテナスイッチには、直流順方向バイアスが閾値以上のときに導通し、閾値未満のときに高インピーダンス化するＰＩＮダイオードを用いたスイッチ回路が用いられてきた（特許文献１）。アンテナスイッチの送信信号と受信信号との切り替えに用いる場合は、該スイッチをいわゆるＳＰＤＴ（Ｓｉｎｇｌｅ  Ｐｏｌｅ  Ｄｏｕｂｌｅ  Ｔｈｒｏｕｇｈ：単極双投）スイッチとして構成する必要がある。近年、アンテナスイッチモジュールの小型化と端子数の削減を図るため、一通信方式の送受信切り替えを行なうだけであれば、スイッチ制御端子を有するシリーズ型スイッチを送信側に、スイッチ制御経路を接地したシャント型スイッチを受信側にそれぞれ用いたＳＰＤＴスイッチが多用されている（特許文献１：図３、ＧＳＭ側）。この種のＳＰＤＴスイッチでは両スイッチがオフのときに受信可能となるので、受信待ち受け時におけるスイッチ駆動電力を節減することができ、また、送信側にのみスイッチ制御端子を設ければよいので端子数を削減できる。
【０００６】
【発明が解決しようとする課題】
他方、特許文献１のごとく、近年では、３つないし４つもの通信方式を取り扱い可能とした、トリプルバンド型あるいはクワッドバンド型の電話機が普及している。この種の電話機では、ダイプレクサで切り分ける高域側ないし低域側の少なくともいずれかに、２つ以上の方式の送信周波数ないし受信周波数を割り当てなければならなくなる関係上、受信待ち受け時にもオン付勢状態を維持しなければならなくなるスイッチが必ず生じ、受信待ち受け時の電力消費が増大してバッテリー寿命が短くなる欠点がある。以下、実例を挙げて説明する。まず、特許文献１においては、２つの方式の送信端子を共用化し、受信端子を個別に設ける３端子の構成が採用されており、文献図１の回路構成では、２つの受信端子にシャント型スイッチを個別に設けている。この構成では、受信待ち受け時においては、２つの受信端子の一方を接地短絡させるために、これらに対応した２つのシャント型スイッチのどちらかが必ずオンとなるので、電力消費の増大につながることは明らかである。
【０００７】
また、文献図３の回路構成では、第一受信端子（ＤＣＳ）に、スイッチ制御経路を、バイアス抵抗を介して接地したシャント型スイッチを設ける一方、共用送信端子側及び他第二受信端子（ＰＣＳ）側に、スイッチ制御端子を有するシリーズ型スイッチを設ける構成が開示されている。この方式では、第一受信端子（ＤＣＳ）に受信する際には、２つのスイッチ制御端子へのバイアス電圧をいずれも閾値以下とすればよいから、スイッチ駆動電力を節減することができる旨、公報の段落００８４に記載されている。しかし、文献では記載が伏せられている通り、第二受信端子側、つまりＰＣＳ側の受信端子にはシリーズ型スイッチが設けられているので、該ＰＣＳ側にて受信待ち受けする際には、上記受信用シリーズ型スイッチをオン状態に維持しなければならず、消費電力を削減できることにはならない。
【０００８】
上記回路構成について、より詳しく考察すると、該受信用シリーズ型スイッチへの直流バイアス印加経路上の抵抗は、送信側と共用されるシャント型スイッチ側のバイアス抵抗だけになっている。このバイアス抵抗の値を過度に大きくすると、スイッチダイオードに印加するバイアス電圧の不足を招き、スイッチダイオードのオン時の順抵抗を十分下げることができなくなって、信号に対する挿入損失が増加する問題がある。従って、信号利得を確保する観点からも、上記バイアス抵抗の値は比較的小さな値に留めざるを得ない事情があり、受信待ち受け時のバイアス電流も大きくなるので、節電の観点においては不利とならざるを得ないのである。こうした不具合がそもそも生ずる要因は、２以上の方式の送受信を相互に切り替えるスイッチ構成を実現するために、共にシリーズ型スイッチにて開閉される送信端子と受信端子とを混在して設けたことにある。
【０００９】
本発明の課題は、シリーズ型のダイオードスイッチにて開閉される送信端子と受信端子とが混在している場合においても、受信待ち受け時における消費電力を低減することができ、また、送信信号に対するダイオードスイッチの挿入損失増加も生じにくいアンテナスイッチを提供することにある。
【００１０】
【課題を解決するための手段及び作用・効果】
上記課題を解決するために、本発明のアンテナスイッチは、
アンテナ側端子からの受信信号を無線電話通信装置の受信回路側へ出力する受信端子と、無線電話通信装置の送信回路からの送信信号が入力される送信端子との、アンテナ側端子に対する接続を切り換えるスイッチ回路とを備え、
スイッチ回路は、受信端子につながる受信経路上に設けられたシリーズ型の受信スイッチダイオードと、該受信スイッチダイオードにバイアス電圧を印加する受信バイアス経路と、送信端子につながる送信経路上に設けられたシリーズ型の送信スイッチダイオードと、該送信スイッチダイオードにバイアス電圧を印加する送信バイアス経路とを備え、受信バイアス経路上に設けられる受信バイアス抵抗の電気抵抗値が、送信バイアス経路上に設けられる送信バイアス抵抗の電気抵抗値よりも大きく設定されるとともに、
スイッチ駆動用に一定に設定された順方向バイアス電圧の印加により、受信スイッチダイオードをオン時に流れる順電流の電流値をＩｒ、送信スイッチダイオードをオン時に流れる順電流の電流値をＩｔとして（ただし、Ｉｒ＜Ｉｔ）、電流値Ｉｒにおける受信スイッチダイオードの順抵抗の電気抵抗値をＲ１（Ｉｒ）、電流値Ｉｔにおける受信スイッチダイオードの順抵抗の電気抵抗値をＲ１（Ｉｔ）、電流値Ｉｒにおける送信スイッチダイオードの順抵抗の電気抵抗値をＲ２（Ｉｒ）、電流値Ｉｔにおける送信スイッチダイオードの順抵抗の電気抵抗値をＲ２（Ｉｔ）として、
Ｒ１（Ｉｒ）／Ｒ１（Ｉｔ）＜Ｒ２（Ｉｒ）／Ｒ２（Ｉｔ）
の関係を満たす電流−抵抗特性を有したＰＩＮダイオードが、受信スイッチダイオード及び送信スイッチダイオードとして用いられてなることを特徴とする。
【００１１】
また、本発明の無線電話通信装置は、上記本発明のアンテナスイッチと、
該アンテナスイッチのアンテナ側端子に接続されるアンテナと、
受信端子に接続される受信回路と、
送信端子に接続される送信回路とを備えたことを特徴する。
【００１２】
上記本発明のアンテナスイッチ及びそれを用いた無線電話通信装置の構成によると、シリーズ型のスイッチダイオードによりアンテナ接続切り替えがなされる受信経路と送信経路とが混在してなり、それらのスイッチダイオードに順方向バイアス電圧を印加するバイアス経路には、受信側の方が送信側よりも電気抵抗値が大きくなるように、バイアス抵抗がそれぞれ設けられる。これにより、受信経路上のバイアス電流値（順電流）が送信経路上のバイアス電流値よりも小さくなり、受信待ち受け時の消費電力を節約することができる。特に、無線電話通信装置が、内蔵バッテリーから受電するとともに、受信回路、送信回路及びスイッチ回路に定電圧を供給する安定化電源回路を有する携帯電話機として構成されている場合、受信待ち受け時の消費電力が節約される結果、該携帯電話機のバッテリーを長持ちさせることができる。
【００１３】
他方、スイッチダイオードに使用するＰＩＮダイオードは、順電流が高くなるほど順抵抗が減少する特性を示す。ここで、各経路上のスイッチダイオードをオン時に流れる順電流は、一定のバイアス電圧によりオン駆動される前提では、バイアス抵抗の大きい受信経路側にて小さくなる。従って、受信スイッチダイオードの方が順抵抗が増大しやすく、挿入損失の増大を招きやすくなる。そこで、本発明においては、上記バイアス電圧を印加したときの受信側順電流と送信側順電流とを順抵抗比較の基準として、前記（１）式の関係を満たすＰＩＮダイオード、すなわち、電流値が送信側順電流のレベルから受信側順電流のレベルにまで上がってきたときの、順抵抗増加比率のより小さいＰＩＮダイオードを、受信スイッチダイオードとして選定するようにした。つまり、受信スイッチダイオードとして、順電流レベルが低下したときの順抵抗の増加率が、送信スイッチダイオードより小さいものを用いるので、節電のため受信バイアス抵抗により順電流を強制的に下げた状態においても、受信スイッチダイオードの順抵抗増大ひいては挿入損失の増加を効果的に抑制することができる。
【００１４】
受信スイッチダイオードと送信スイッチダイオードとは、市販の高周波用ＰＩＮダイオードで構成する場合、順方向バイアス電圧は、例えば２．４Ｖ以上２．８Ｖ以下にて仕様値を定めるのがよい。なお、推奨仕様値が一点のみ与えられている場合は、その推奨仕様値を、請求項でいう「スイッチ駆動用に一定に設定された順方向バイアス電圧」として採用すればよく、推奨仕様値に一定の幅が許容されている場合は、その中央値を該「順方向バイアス電圧」の代表値として採用する。
【００１５】
次に、本発明のアンテナスイッチは、受信バイアス抵抗を、受信経路から分岐する、受信バイアス経路の一部をなす受信スイッチ端子経路上に設け、送信バイアス抵抗を、送信経路から分岐する、送信バイアス経路の一部をなす送信スイッチ端子経路上に設けたものとして構成することができる。このようにすると、送受信の高周波信号自体は、受信バイアス抵抗及び送信バイアス抵抗を通過させずに伝送できるので、信号の抵抗損失を抑制することができる。具体的には、受信スイッチ端子経路は、受信スイッチダイオードのアノード側にて受信経路から分岐する形で設けることができ、また、送信スイッチ端子経路は、受信スイッチダイオードのアノード側にて受信経路から分岐する形で設けることができる。このようにすると、スイッチ駆動のための順方向電圧を正極性電圧としてスイッチダイオードに印加でき、電源構成の簡略化を図ることができる（例えば、負極性電源を設ける必要がなくなる、など）。
【００１６】
この場合、受信スイッチダイオード及び送信スイッチダイオードのカソード側を接続する形で、受信経路及び送信経路から接地側に分岐する補助バイアス経路を設け、該補助バイアス経路上に補助バイアス抵抗を挿入することができる。補助バイアス抵抗は、バイアス直流の接地路を与える役割を果たす。補助バイアス抵抗は、受信スイッチダイオード及び送信スイッチダイオードへのバイアス電圧が不足するほどの分圧を生じてはならず、該不具合が生じない範囲にて上限値を定める。また、該補助バイアス抵抗は、受信信号と増幅後の送信信号との接地路に共用されているため、その抵抗値が過度に大きいと、送信信号に対する挿入損失が大となり、アンテナからの送信信号の輻射強度を損ねることにつながる。そこで、補助バイアス抵抗の電気抵抗値は、受信バイアス抵抗よりも小さく設定しておくこと、望ましくは送信バイアス抵抗よりも小さく設定しておくのがよい。
【００１７】
本発明のアンテナスイッチは、より具体的には、
周波数帯の互いに異なる第一受信信号及び第二受信信号とに個別に対応した第一受信経路及び第二受信経路と、それら第一受信信号と第二受信信号とに対応する、周波数帯の互いに異なる第一送信信号と第二送信信号との間で共用される共用送信経路とを備え、
それら第一受信経路及び第二受信経路と共用送信経路とのアンテナ側端部が互いに結合され、他方の端部に第一受信端子、第二受信端子及び共用送信端子がそれぞれ形成され、
第一受信経路上に受信スイッチダイオードが設けられ、
共用送信経路上に送信スイッチダイオードが設けられ、
受信バイアス抵抗が、第一受信経路から分岐する、受信バイアス経路の一部をなす受信スイッチ端子経路上に設けられ、
送信バイアス抵抗が、共用送信経路から分岐する、送信バイアス経路の一部をなす送信スイッチ端子経路上に設けられてり、
第二受信経路と接地とをつなぐ補助バイアス経路上に、受信スイッチ端子経路又は送信スイッチ端子経路からのバイアス電圧の印加により、受信スイッチダイオード又は送信スイッチダイオードと連動してオン／オフするシャント型の補助スイッチダイオードが設けられ、該補助スイッチダイオードに対し接地との間に直列挿入される形で前記の補助バイアス抵抗を設けることができる。
【００１８】
上記の構成によると、第二受信経路から分岐する形で補助バイアス経路が設けられ、その補助バイアス経路上にシャント型の補助スイッチダイオードと、前述の補助バイアス抵抗とを設けた。これにより、送信スイッチ端子経路と受信スイッチ端子経路とに印加する２種のバイアス電圧レベルの組み合わせにより、第一受信経路、第二受信経路及び共用送信経路との３つの経路の切り替えを行なうことができ、スイッチ端子数を削減することができる。そして、第一受信経路と共用送信経路とに設けられるシリーズ型の受信／送信スイッチダイオードをオフにすることで、第二受信経路にて信号受信が可能となり、受信待ち受け時のスイッチ駆動用消費電力を大幅に削減できる。他方、第一受信経路の受信スイッチダイオードをオンとし、共用送信経路の送信スイッチダイオードをオフにすれば、第一受信経路にて信号受信が可能となる。このとき、該第一受信経路側には共用送信経路よりも大きい受信バイアス抵抗が挿入されているので、受信スイッチダイオードがオンになっているにもかかわらず、受信待ち受け時のスイッチ駆動用消費電力を大幅に削減できる。そして、該受信スイッチダイオードは、低電流時においても順抵抗が小さいので挿入損失も抑制できる。
【００１９】
この場合、送信スイッチダイオードは、オフ時の静電容量が受信スイッチダイオードよりも小さいものを使用するのがよい。既に説明した通り、送信信号の電流レベルは増幅を経て高くなっているため、オフ時の静電容量が小さいものを使用すれば、大電流の送信信号も確実に遮断できる。また、第二受信経路に信号受信する際には、送信スイッチダイオードと受信スイッチダイオードとの双方の遮断特性が影響するので、大電流の送信信号を扱う送信スイッチダイオードのオフ時の静電容量を小さく抑えることは、この観点においても有利である。他方、受信スイッチダイオードは、低電流時におけるオン時順抵抗の小さいものが使用されるが、ＰＩＮダイオードはオン時順抵抗とオフ時静電容量とが一般にはトレードオフの関係にあり、遮断特性（アイソレーション）は送信スイッチダイオードよりも劣ることが多い。そこで、該受信スイッチダイオードと並列に共振用コイルを挿入して、遮断特性を高めることが望ましい。具体的には、受信信号の周波数域で、受信スイッチダイオードのオフ時静電容量と共振結合するようにインダクタンスが定められた共振用コイルを並列挿入する。これにより、受信信号の希望の周波数にて送信スイッチダイオードのインピーダンスを高めることができ、遮断特性を向上させることができる。
【００２０】
【発明の実施の形態】
以下、本発明の実施の形態を、図面を用いて説明する。
図１は、複数の周波数帯域を扱う無線電話通信装置の一例である、トリプルバンド型デジタル携帯電話機（以下、単に携帯電話機ともいう）の電気的構成を示すブロック図である。携帯電話機１は、Ｉ／Ｏポート１１と、これに接続されるＣＰＵ１２、ＲＯＭ１３及びＲＡＭ１４等からなる主制御部としての制御用マイクロプロセッサ１０を有し、そのＩ／Ｏポート１１には、テンキー型の周知のプッシュボタンで構成されたダイアル入力部５、携帯電話機１をオンフック状態とオフフック状態との間で切り替えるオンフック／オフフック切換スイッチ６、及び使用周波数帯を切り替えるバンド切換スイッチ７が接続される。また、受話器３はアンプ１５とＤ／Ａ変換器１６を介して、送話器４はアンプ１７とＡ／Ｄ変換器１８とを介して、さらに液晶モニタ（ＬＣＤ）１９がモニタ制御回路２０を介して、それぞれＩ／Ｏポート１１に接続されている。
【００２１】
また、Ｉ／Ｏポート１１には電話接続回路９が接続されている。該電話接続回路９は、３つの使用周波数帯（ＧＳＭ、ＰＣＳ及びＤＣＳ）のうち，低域側のものに対応する第一変調部３２Ａ、第一送信部３３Ａ（これらは第一送信回路を構成する）、第一受信部３５Ａ及び第一復調部３６Ａ（これらは第一受信回路を構成する）、中域側のものに対応する第二変調部３２Ｂ、第二送信部３３Ｂ（これらは第二送信回路を構成する）、第二受信部３５Ｂ及び第二復調部３６Ｂ（これらは第二受信回路を構成する）、及び高域側のものに対応する第三変復調部１０１及び第三送受信部１０２（これらは第三受信回路を構成する）、通信搬送波を必要な周波数にて合成する周波数シンセサイザ３４、本発明の一実施形態をなすアンテナスイッチ２及びこれに接続されるアンテナ３９、アンテナスイッチ２に含まれる分波回路４４（図２：後述）を経て、各帯域に分波された分波受信信号から、使用周波数帯域のものを抽出する使用周波数抽出用バンドバスフィルタ回路４０Ａ，４０Ｂ，４０Ｃ等を含んで構成される。また、図示は省略しているが、電話接続回路９には、ハンドオーバー用の制御用電波発信部も含まれている。
【００２２】
上記電話接続回路９の構成要素のうち、アンテナスイッチ２以外の部分は、一般のデジタル携帯電話機と何ら変わりはなく周知であるので、詳細な説明は省略する。また、携帯電話機１の基本動作も周知のものと同様であるが、概略を述べれば以下の通りである。すなわち、送話器４から入力された音声はアンプ１７で増幅され、さらにＡ／Ｄ変換器１８によりデジタル変換された後、選択された使用周波数帯に対応する変調部（３２Ａ又は３２Ｂ）により変調され、さらに送信部（３３Ａ又は３３Ｂ）にて搬送波と合成・増幅され、アンテナスイッチ２及びアンテナ３９から送信される。他方、受信電波はアンテナ３９及びアンテナスイッチ２を介して選択された使用周波数帯に対応する受信部（３５Ａ又は３５Ｂ）で受信され、搬送波成分が取り除かれた後、復調部（３６Ａ又は３６Ｂ）でデジタル音声信号に復調され、Ｄ／Ａ変換機１６及びアンプ１５を介して受話器３から出力される。
【００２３】
アンテナスイッチ２は、受信信号と送信信号とを、スイッチ制御用のバイアス電圧（信号制御は制御用マイクロプロセッサ１０が行なう）を受けて、時分割方式で切り替える。他方、使用周波数帯の切り替えは、本実施形態ではバンド切換スイッチ７の操作により制御用マイクロプロセッサ１０が行なうようにしているが、周波数シンセサイザ３４を用いてバンドスキャンを行い、適合する周波数帯に自動切り替えを行なうようにしてもよい。なお、本実施形態では、第一使用周波数帯（バンド）が１ＧＨｚ未満の通信方式（例えばＧＳＭ方式）に対応するものであり、第二使用周波数帯及び第三使用周波数帯が、いずれも１ＧＨｚ以上の通信方式（例えばＰＣＳ方式及びＤＣＳ方式）にそれぞれ対応するものである。なお、制御用マイクロプロセッサ１０が行なう切換処理は、主として、Ｉ／Ｏポート１１における変調部３２Ａ／３２Ｂ／１０１及び復調部３６Ａ／３６Ｂ／１０１のポート切換処理、及び周波数シンセサイザ３４への指示周波数切換処理等である。
【００２４】
携帯電話機１の動作電源１５０は、受信回路（受信部３５Ａ，３５Ｂ及び送受信部１０２）、送信回路（送信部３３Ａ，３３Ｂ及び送受信部１０２）及びスイッチ回路（アンテナスイッチ２）を含む、携帯電話機１の各電気的構成要素に定電圧Ｖｃｃを供給する安定化電源回路として構成されている。具体的には、内蔵バッテリー１５１（例えば、リチウムイオン二次電池などである）から受電し、周知の電源用レギュレータＩＣ１５５により一定の電源電圧Ｖｃｃを発生させるものである。なお、符号１５２は、バッテリー充電用のコネクタである。
【００２５】
次に、図２は、アンテナスイッチ２の電気的構成を示すブロック図である。アンテナスイッチ２は前述の通りアンテナ３９に接続して使用されるものであり、アンテナ受信信号とアンテナ送信信号との入出力に共用されるアンテナ側端子ＡＮＴを有する。アンテナ側端子ＡＮＴからのアンテナ受信信号（▲１▼）は、分波回路４４（図２）において低域側信号（▲２▼）及び高域側信号（▲４▼）とに分波される。このうち、低域側信号▲２▼は、１種類のみ（具体的にはＧＳＭ方式）のみの通信方式の周波数帯をカバーし、高域側信号▲４▼は２種類の通信方式（具体的にはＰＣＳ方式とのＤＣＳ方式）の周波数帯をカバーする分波信号とされている。そして、各分波信号の出力側にそれぞれ低域側スイッチ回路４２Ａ及び高域側スイッチ回路４２Ｂが設けられている。
【００２６】
図２において、低域側信号▲２▼はローパスフィルタ４５により、高域側信号▲４▼はハイパスフィルタ４６により、それぞれ分波・抽出される。ローパスフィルタ４５及びハイパスフィルタ４６は、本実施形態ではいずれもアナログフィルタ（ここではＬＣパッシブフィルタ）にて構成されている。分波回路４４からの各端末受信帯の受信信号は、各送信部３３Ａ，３３Ｂからアンテナ３９に向かう各端末送信帯の送信信号との間で、対応するスイッチ回路４２Ａ，４２Ｂにより切り替えられる。
【００２７】
図３は、アンテナスイッチ２の詳細を示す等価回路図である。分波回路４４において、ローパスフィルタ４５は、遮断高域信号に対して高インピーダンスとなる通過信号経路ＪＬ上のコイルＬ１０６と、これに並列挿入され、遮断高域信号を接地短絡させる低インピーダンスのコンデンサＣ１０８とが基本素子をなす。他方、ハイパスフィルタ４６は、遮断低域信号に対して高インピーダンスとなる通過信号経路ＪＨ上のコンデンサＣ２０８，Ｃ２０７と、これに並列挿入され、遮断低域信号を接地短絡させる低インピーダンスのコイルＬ２０６とが基本素子をなす。
【００２８】
本実施形態においては、ハイパスフィルタ４６については、遮断信号域を接地短絡させる経路ＲＨ上に、上記基本素子であるコイルＬ２０６とともに直列ＬＣ共振回路を形成するコンデンサＣ２０９が挿入されている。このような直列ＬＣ共振回路を挿入することにより、フィルタ減衰特性を急峻化することができる。一方、ローパスフィルタ４５の通過信号経路ＪＬ上には、コンデンサＣ１０８とともに高域遮断用の並列ＬＣ共振回路を構成するコイルＬ１０６が挿入されている。該並列ＬＣ共振回路は、フィルタ減衰特性を急峻化する働きをなす。
【００２９】
分波回路４４からの低域側信号▲２▼及び高域側信号▲３▼は、それぞれアンテナ３９側に向かう送信信号とアンテナ３９からの受信信号とが、対応するスイッチ回路４２Ａ，４２Ｂにより切り替えられる。スイッチ回路４２Ａは低域側信号▲２▼の処理用であり、ＧＳＭ用の送信端子ＴＸ１及び受信端子ＲＸ１を有する。また、スイッチ回路４２Ｂは高域側信号▲４▼の処理用であり、ＰＣＳ用の受信端子ＲＸ２、ＤＣＳ用の受信端子ＲＸ３及びＤＣＳとＰＣＳとで共用される共用送信端子（ＴＸ２ＴＸ３）とを備えている。
【００３０】
図３の回路素子は、半導体デバイスであるダイオードを除いては、図５に示すように、導電体層からなる回路パターン５３〜５５により、アンテナスイッチモジュールを構成する積層体８０内に作りこむこと（内層すること）ができる。例えば、抵抗器５５は、図６に示すように、蛇行した細長い導電体層パターンにより形成できる。コンデンサ５４は、図７に示すように、誘電体層５０を間に挟む形で対向する電極板５５ａ，５５ｂにより形成できる。さらに、コイル５３は、複数の誘電体層５０にまたがる巻線パターン５３ａを層間ビア５９により接続する形で形成できる。他方、誘電体層５０は、例えばホウケイ酸塩鉛ガラスとアルミナからなるガラスセラミック等のセラミックで構成される。積層体８０は、誘電体層５０の原料となるセラミックグリーンシート上に、導電性ペーストを用いて所望の回路パターンを印刷し、積層して焼成する方法により製造される。これらは周知の技術であるから、詳細な説明は省略する。
【００３１】
なお、ダイオードを始めとする半導体デバイスや、大容量コンデンサあるいは抵抗値の高い抵抗素子など、印刷による回路パターン形成では実現しにくい素子は、図４に示すように、積層体８０に表面実装あるいは埋め込み実装される外付け素子５１として設けることができる（あるいは、積層体８０とは分離して主基板に取り付けるようにしてもよいが、省スペースの観点や組立て工数の削減という観点においては、上記のように積層体８０に一体化しておくことが望ましい）。
【００３２】
図２に戻り、受信端子ＲＸ１，ＲＸ２，ＲＸ３に接続される使用周波数抽出用バンドバスフィルタ回路４０Ａ，４０Ｂ，４０Ｃは、本実施形態ではいずれも弾性表面波共振器を含んで構成された狭帯域フィルタ回路として構成されている。
【００３３】
次に、図３に示すように、低域側スイッチ回路４２Ａは、受信端子ＲＸ１及び送信端子ＴＸ１にそれぞれつながる受信経路ＲＬ１及び送信経路ＴＬ１を有し、それら受信経路ＲＬ１及び送信経路ＴＬ１のアンテナ側端部が互いに結合されている。送信経路ＴＬ１上には、シリーズ型のスイッチダイオードＤ１が設けられている。そして、該スイッチダイオードＤ１のアノード側にて送信経路ＴＬ１からは、バイアス経路の一部をなすスイッチ端子経路Ｕ１が分岐し、その末端にスイッチ端子ＶＣ１が形成されている。また、スイッチ端子経路Ｕ１上にはチョークコイルＬ１が設けられている。他方、受信経路ＲＬ１と接地とをつなぐ形で補助バイアス経路Ｕ２が設けられ、スイッチ端子経路Ｕ１からのバイアス電圧の印加により、スイッチダイオードＤ１と連動してオン／オフするシャント型の補助スイッチダイオードＤ２が設けられている。補助スイッチダイオードＤ２のカソードと接地との間には、バイアスコンデンサＣ５と補助バイアス抵抗Ｒ１とが並列形態で挿入されている。本実施形態においてスイッチダイオードは全てＰＩＮダイオードで構成されている。
【００３４】
スイッチ端子ＶＣ１に閾値以上のバイアス電圧を印加するとスイッチダイオードＤ１と補助スイッチダイオードＤ２とがともにオンとなり、送信端子ＴＸ１からの受信信号がアンテナ端子ＡＮＴに向けて送信可能となる。このとき、補助バイアス経路Ｕ２は、ＧＳＭ送信信号電流の接地経路を形成する。他方、受信端子ＲＸ１側では、アンテナからの受信信号は補助バイアス経路Ｕ２の低インピーダンス化した補助スイッチダイオードＤ２を経て接地短絡する。従って、受信端子ＲＸ３側に受信信号は通過しない。なお、本実施形態では、受信スイッチダイオードＤ２のアノード側において第一受信経路Ｒ１上に、共振用のコイルＬ３００が配置されている。このコイルＬ３００は、補助スイッチダイオードＤ２がオンのとき、バイアスコンデンサＣ５と直列共振回路を形成し、希望する周波数帯の信号に対する接地経路側へのインピーダンスを低減する働きをなす。なお、コイルＬ３００を（１／４）λ線路にて置き換えてもよい。
【００３５】
次に、高域側スイッチ回路４２Ｂは、ＰＣＳ用の受信信号（第一受信信号）及びＤＣＳ用の受信信号（第二受信信号）に個別に対応した第一受信経路ＲＮ１及び第二受信経路ＲＮ２と、ＰＣＳとＤＣＳとで共用される共用送信経路ＴＣＮとを有する。それら第一受信経路ＲＮ１及び第二受信経路ＲＮ２と共用送信経路ＴＣＮとのアンテナ側端部は互いに結合され、他方の端部には、ＰＣＳ用受信端子（第一受信端子）ＲＸ２、ＤＣＳ用受信端子（第二受信端子）ＲＸ３及びＰＣＳ／ＤＣＳ共用送信端子（共用送信端子）ＴＸ２ＴＸ３がそれぞれ形成されている。
【００３６】
第一受信経路ＲＮ１上には、シリーズ型の受信スイッチダイオードＤ３が設けられ、共用送信経路ＴＣＮ上にシリーズ型の送信スイッチダイオードＤ４が設けられている。該第一受信経路ＲＮ１からは、受信スイッチダイオードＤ３のアノード側において、受信バイアス経路の一部をなす受信スイッチ端子経路Ｕ３が分岐し、該受信スイッチ端子経路Ｕ３上には受信バイアス抵抗Ｒ２が、これと直列接続されたチョークコイルＬ２とともに設けられている。また、第一受信経路ＲＮ１からは、送信スイッチダイオードＤ４のアノード側において、送信バイアス経路の一部をなす送信スイッチ端子経路Ｕ４が分岐し、該送信スイッチ端子経路Ｕ４上には送信バイアス抵抗Ｒ３が、これと直列接続されたチョークコイルＬ３とともに設けられている。受信スイッチ端子経路Ｕ３及び送信スイッチ端子経路Ｕ４は、いずれもその末端に、動作電源１５０（図１）からのスイッチ制御用のバイアス電圧が印加される。
【００３７】
第二受信経路Ｒ２からは補助バイアス経路Ｕ５が接地側に分岐してなる。該補助バイアス経路Ｕ５上には、受信スイッチ端子経路Ｕ３又は送信スイッチ端子経路Ｕ４からのバイアス電圧の印加により、受信スイッチダイオードＤ３又は送信スイッチダイオードＤ４と連動してオン／オフするシャント型の補助スイッチダイオードＤ５が設けられている。また、該補助スイッチダイオードＤ５と接地との間には、互いに並列に接続された補助バイアス抵抗Ｒ４とバイアスコンデンサＣ５４とが設けられている。
【００３８】
補助バイアス経路Ｕ５は、受信スイッチダイオードＤ３又は送信スイッチダイオードＤ４と連動して補助スイッチダイオードＤ５がオンとなることにより、ＰＣＳ受信信号ないしＰＣＳ／ＤＣＳ送信信号の接地経路を形成する。なお、本実施形態では、受信スイッチダイオードＤ３のアノード側において第二受信経路Ｒ２上に、共振用のコイルＬ３０３が配置されている。このコイルＬ３０３は、補助スイッチダイオードＤ５がオンのとき、バイアスコンデンサＣ５４と直列共振回路を形成し、希望する周波数帯の信号に対する接地経路側へのインピーダンスを低減する働きをなす。なお、コイルＬ３０３を（１／４）λ線路にて置き換えてもよい。
【００３９】
高域側スイッチ回路４２Ｂは、以下のように動作する。図９の第一状態に示すように、ＰＣＳ受信端子ＲＸ２をオンにしたい場合は、スイッチ端子ＶＣ２への直流バイアス電圧を順方向にて閾値以上に設定し、スイッチ端子ＶＣ３は逆に閾値未満に設定する。すると受信スイッチダイオードＤ３がオンバイアスとなって順抵抗Ｒ１（Ｉｒ）と等価になり、ＰＣＳ受信端子ＲＸ２側への受信信号の通過が許容される。他方、ＤＣＳ受信端子ＲＸ３側では、スイッチ端子ＶＣ２側からの順方向直流バイアスが補助スイッチダイオードＤ５に印加され、同様にオンバイアスとなるので順抵抗ＲＡ５と等価になり、信号は補助バイアス経路Ｕ５を通って接地短絡する。従って、受信端子ＲＸ３側に受信信号は通過しない。また、共用送信端子ＴＸ２ＴＸ３側では、送信スイッチダイオードＤ４がオフバイアスとなって高インピーダンスの低容量コンデンサＣＡ４と等価になり、同様に信号は通過しない。
【００４０】
他方、共用送信端子ＴＸ２ＴＸ３側をＯＮにしたい場合は、第二状態に示すように、スイッチ端子ＶＣ３への直流バイアス電圧を閾値以上とし、スイッチ端子ＶＣ２を閾値未満とすればよい（これにより、受信スイッチダイオードＤ３は低容量コンデンサＣＡ３と等価になり、送信スイッチダイオードＤ４は順抵抗Ｒ２（Ｉｔ）と等価になる。また、ＤＣＳ受信端子ＲＸ３側をＯＮにしたい場合は、第三状態に示すように、スイッチ端子ＶＣ３，ＶＣ４への直流バイアス電圧をいずれも閾値未満とする。これにより、補助ダイオードＤ５はオフバイアスとなり、高インピーダンスの低容量コンデンサＣＡ５と等価になるので接地側の補助バイアス経路Ｕ５は遮断され、端子ＲＸ３側への信号通過が許容される。また、ダイオードＤ３，Ｄ４はいずれもオフバイアスとなり、高インピーダンスの低容量コンデンサＣＡ４，ＣＡ５と等価になるので、端子ＲＸ２，ＴＸ２ＴＸ３に信号は現われない。
【００４１】
高域側スイッチ回路４２Ｂにおいては、受信待ち受け時の節電を図るため、以下のような工夫がなされている。まず、受信バイアス抵抗Ｒ２の電気抵抗値は送信バイアス抵抗Ｒ３よりも大きく設定されている。これにより、ＰＣＳ受信（待ち受け）時においては、送信バイアス抵抗Ｒ３よりも高抵抗値の送信バイアス抵抗Ｒ３を経て、受信スイッチダイオードＤ３がオン駆動されるので、バイアス電流の絶対値が減少し、節電を図ることができる。他方、ＤＣＳ受信（待ち受け）時には、全てのダイオードＤ３，Ｄ４，Ｄ５がオフになるので、バイアス電流はほとんど流れず、同様に節電を図ることができる。その結果、図１の動作電源１５０のバッテリー１５１を長持ちさせることができる。
【００４２】
ここで、スイッチダイオードＤ３，Ｄ４，Ｄ５に使用するＰＩＮダイオードは、順電流が高くなるほど順抵抗が減少する非オーミック特性を示す。これらスイッチダイオードＤ３，Ｄ４，Ｄ５は、一定のバイアス電圧によりオン駆動されるので、ＰＣＳ受信経路上の受信スイッチダイオードＤ３をオン時に流れる順電流Ｉｒ（図９の第一状態）、は、受信バイアス抵抗Ｒ２が送信バイアス抵抗Ｒ３よりも高く設定されているために、送信スイッチダイオードＤ４をオン時に流れる順電流Ｉｔ（図９の第二状態）よりも小さくなる。その結果、受信スイッチダイオードＤ３の動作時の順抵抗ＲＡ３は、送信スイッチダイオードＤ４の動作時の順抵抗ＲＡ４よりもが高くなり、挿入損失を増大させやすくなる側面がある。
【００４３】
そこで、電流値Ｉｒにおける受信スイッチダイオードＤ３の順抵抗をＲ１（Ｉｒ）（＝ＲＡ３）、電流値Ｉｔにおける受信スイッチダイオードＤ３の順抵抗をＲ１（Ｉｔ）、電流値Ｉｒにおける送信スイッチダイオードＤ４の順抵抗をＲ２（Ｉｒ）、電流値Ｉｔにおける送信スイッチダイオードＤ４の順抵抗をＲ２（Ｉｔ）（＝ＲＡ４）として、
Ｒ１（Ｉｒ）／Ｒ１（Ｉｔ）＜Ｒ２（Ｉｒ）／Ｒ２（Ｉｔ）
の関係を満たす電流−抵抗特性を有したＰＩＮダイオードが、受信スイッチダイオードＤ３及び送信スイッチダイオードＤ４として選定されている。
【００４４】
これは、電流値が、電波放射用に比較的大きく設定される送信側順電流Ｉｔのレベルから、節電用に小さく設定される受信側順電流Ｉｒのレベルにまで上がってきたときの、順抵抗増加比率のより小さいＰＩＮダイオードを、受信スイッチダイオードＤ３として使用することを意味する。つまり、受信スイッチダイオードＤ３として、送信スイッチダイオードＤ４よりも順電流レベルが低下したときの抵抗増加率の低いものを用いるので、高い受信バイアス抵抗Ｒ２により順電流値が下がっても、受信スイッチダイオードＤ３の順抵抗が増大しにくくなり、挿入損失を効果的に抑制することができる。
【００４５】
なお、本実施形態では、送信スイッチダイオードＤ４は、オフ時の静電容量ＣＡ４が、受信スイッチダイオードＤ３のオフ時の静電容量ＣＡ３よりも小さいものを使用している。送信信号の電流レベルは増幅を経て高くなっているため、送信スイッチダイオードＤ４として静電容量ＣＡ４が小さいものを使用すれば、大電流の送信信号も確実に遮断できる。なお、受信スイッチダイオードＤ３は、低電流時における順抵抗ＲＡ３が小さいが、オフ時静電容量ＣＡ３はこれとトレードオフの関係にあるため比較的大きく、遮断特性（アイソレーション）は送信スイッチダイオードＤ４よりも若干劣る。そこで、該受信スイッチダイオードＤ３には、受信信号の周波数域で、オフ時静電容量ＣＡ３と共振結合するようにインダクタンスが定められた共振用コイルＬ３０１が並列挿入されている（本実施形態では、送信スイッチダイオードＤ４にも共振用コイルＬ３０２を設けている）。
【００４６】
以下、回路定数の設計値の一例を以下に記載する。受信側順電流Ｉｒは、上記の順方向バイアス電圧の望ましい範囲を考慮すれば、受信待ち受け時の消費電力低減のため、例えば０．２ｍＡ以上２ｍＡ以下（例えば０．５ｍＡ程度である）とする。また、送信側順電流Ｉｔは、送信信号電流レベルが増幅を経て高くなっていることを考慮し、例えば５ｍＡ以上１０ｍＡ以下（例えば６ｍＡ程度である）とする。受信スイッチダイオードＤ３及び送信スイッチダイオードＤ４の各オン時抵抗Ｒ１（Ｉｒ）及びＲ２（Ｉｔ）は、挿入損失低減を考慮すれば０．５Ω以上３Ω以下（望ましくは０．８Ω以上２Ω以下）とするのがよい。そして、受信側バイアス抵抗Ｒ２は０．５ｋΩ以上２ｋΩ以下（例えば１．３ｋΩ）とし、送信側バイアス抵抗Ｒ３は５０Ω以上２００Ω以下（例えば１３０Ω）とする。Ｒ１（Ｉｒ）／Ｒ１（Ｉｔ）は１．５以上４以下（例えば３）とし、Ｒ２（Ｉｒ）／Ｒ２（Ｉｔ）は３以上１０以下（例えば６）とする。
【００４７】
表１は、ダイオードの選定例であり、ダイオードＡは送信スイッチダイオードＤ３用（ＨＩＴＡＣＨＩ：ＨＶＤ１４２（高周波スイッチ用シリコンエピタキシャルプレーナ型ＰＩＮダイオード））のものであり、ダイオードＢは受信スイッチダイオードＤ３用（ＨＩＴＡＣＨＩ：ＨＶＤ１３３（高周波スイッチ用シリコンエピタキシャルプレーナ型ＰＩＮダイオード））のものである。いずれも、Ｉｔ＝６ｍＡ、Ｉｒ＝０．５ｍＡとしたときの、各電流値におけるオン時順抵抗（周波数１００ＭＨｚ）での及びオフ時静電容量（１．８ＧＨｚ）の値を示している。なお、オン時の挿入損失が特に問題とならない他のスイッチダイオードＤ１，Ｄ２，Ｄ５は、ダイオードＡとダイオードＢのどちらで構成してもよいが、オフ時の遮断特性を優先して考えれば、ダイオードＡ（つまり、受信スイッチダイオードＤ３よりもオフ時静電容量の小さいもの）を用いることが望ましいともいえる。
【００４８】
【表１】
2004357048.tif 000003
【００４９】
なお、上記の実施形態においては、トリプルバンド型デジタル携帯電話機を例に取り説明したが、アンテナスイッチとして、図３の高域側スイッチ回路４２Ｂと同様の構成のダイオードスイッチを採用するものであれば、本発明は、さらに多くの通信方式を取り扱うタイプの電話機、例えば、クワッドバンド型デジタル携帯電話機などにも適用することが可能である。
【図面の簡単な説明】
【図１】本発明の無線電話通信装置の一実施形態を示す携帯電話機の全体構成を示すブロック図。
【図２】そのアンテナスイッチのブロック図。
【図３】図２のアンテナスイッチの詳細を示す回路図。
【図４】積層体として構成されたアンテナスイッチの外観の一例を示す斜視図。
【図５】積層体の構造の一例を示す断面模式図。
【図６】積層体における抵抗器の形成態様を示す模式図。
【図７】同じくコンデンサの形成態様を示す模式図。
【図８】同じくコイルの形成態様を示す模式図。
【図９】本発明のアンテナスイッチの作用説明図。
【符号の説明】
１  デジタル携帯電話機（無線電話通信装置）
３２Ａ，３２Ｂ  変調部（送信回路）
３３Ａ，３３Ｂ  送信部（送信回路）
３５Ａ，３５Ｂ  受信部（受信回路）
３６Ａ，３６Ｂ  復調部（受信回路）
３９  アンテナ
４２Ａ，４２Ｂ  スイッチ回路
４４  分波回路
ＲＸ２  第一受信端子
ＲＸ３  第二受信端子
ＴＸ２ＴＸ３  共用送信端子
ＡＮＴ  アンテナ側端子
ＲＬ１  第一受信経路
ＲＬ２  第二受信経路
ＴＣＮ  共用送信経路
Ｄ３  受信スイッチダイオード
Ｌ３０１  共振用コイル
Ｄ４  送信スイッチダイオード
Ｄ５  補助スイッチダイオード
Ｕ３  受信スイッチ端子経路
Ｕ４  送信スイッチ端子経路
Ｕ５  補助バイアス経路
Ｒ３  受信バイアス抵抗
Ｒ４  送信バイアス抵抗
１０１  変復調部
１０２  送受信部
１５０  動作電源（安定化電源回路）
１５１  内蔵バッテリー
【図１】
2004357048.tif 000004
【図２】
2004357048.tif 000005
【図３】
2004357048.tif 000006
【図４】
2004357048.tif 000007
【図５】
2004357048.tif 000008
【図６】
2004357048.tif 000009
【図７】
2004357048.tif 000010
【図８】
2004357048.tif 000011
【図９】
2004357048.tif 000012